(57)【特許請求の範囲】
【請求項１】
選別殻体内に同心状に配設された選別網体と揚穀螺旋体を相対回転させることにより穀粒を揚穀する間に所望の粒径以上の整粒と所望の粒径以下の屑粒とに選別して前記整粒を貯留タンクに貯留するとともに前記屑粒を放出シュートを介して機外へ排出するようにそれぞれ構成され、並列して配置された複数の縦型選別機と、
後方下部に供給ホッパーを、前方上部に流路切換板を有する分岐管をそれぞれ配設した揚穀筒体と該揚穀筒体内に配設された揚穀手段からなり、前記供給ホッパーに投入される穀粒を揚穀して前記複数の縦型選別機に選択的に穀粒を供給するための揚穀機と、
前記複数の縦型選別機により選別された各種の整粒をそれぞれ計量袋詰めするために前記複数の縦型選別機の貯留タンクの下方に配設された整粒用の計量袋詰め機と、
前記複数の縦型選別機からそれぞれ排出される屑粒を計量袋詰めするための屑粒用の揚穀計量機と、
前記複数の縦型選別機から排出される屑粒を前記屑粒用の揚穀計量機へ移送するための屑粒移送装置とを具備することを特徴とする穀粒等の選別装置。
【請求項２】
前記複数の縦型選別機において前記選別網体および前記揚穀螺旋体を回転駆動する駆動源はそれぞれインバータ制御手段を備えていることを特徴とする請求項１記載の穀粒等の選別装置。
【請求項３】
前記複数の縦型選別機にはそれぞれ選別孔の網目サイズが異なる選別網体が装着されていることを特徴とする請求項１または２記載の穀粒等の選別装置。
【請求項４】
前記複数の縦型選別機にはそれぞれ選別孔の網目サイズが同じ選別網体が装着されていることを特徴とする請求項１または２記載の穀粒等の選別装置。
【請求項５】
前記揚穀機は、前記分岐管の流路切換板を切り換えることにより、前記複数の縦型選別機のいずれか一つにあるいは全てに穀粒を選択的に供給することができるように構成されていることを特徴とする請求項１ないし４のいずれか１項に記載の穀粒等の選別装置。
【請求項６】
前記整粒用の計量袋詰め機は、前記複数の縦型選別機の貯留タンクの下方に配設された１個のタンクと該タンクのシャッター付き排出口の下方に設置された計量器を備えていることを特徴とする請求項１ないし５のいずれか１項に記載の穀粒等の選別装置。
【請求項７】
前記屑粒用の揚穀計量機は、後方下部および前方下部にそれぞれ供給ホッパーと供給孔が設けられかつ前方上部に貯留タンクが配設された揚穀筒体と、該揚穀筒体内に配設された揚穀手段と、前記貯留タンクのシャッター付き排出口の下方に設置された計量器を備えていることを特徴とする請求項１ないし６のいずれか１項に記載の穀粒等の選別装置。
【請求項８】
前記屑粒移送装置は、内部に屑粒移送用のスクリューを回転可能に配設した移送筒体と前記スクリューを回転駆動する駆動モーターを備え、前記移送筒体は、前記複数の縦型選別機のそれぞれの前記屑粒放出シュートに排出管を介して連通され、その他端部において前記屑粒用の揚穀計量機の下方部に設けられた前記供給孔に連通されていることを特徴とする請求項１ないし７のいずれか１項に記載の穀粒等の選別装置。
【発明の詳細な説明】
【０００１】
【発明の属する技術分野】
本発明は、米穀等の穀粒を各種の粒径に応じて整粒と未熟粒等の屑粒に選別するとともに選別された穀粒をそれぞれ計量袋詰めする穀粒等の選別装置に関するものである。
【０００２】
【従来の技術】
米穀等の穀粒を粒径に応じて整粒と未熟粒等の屑粒とに選別し、整粒を計量袋詰めすることができる穀粒選別機としては、縦型選別機が従来から一般的に知られている。
【０００３】
この種の縦型選別機は、多数の選別孔を周壁に穿設して円筒状に形成された選別網体とこの選別網体の内部に配設された揚穀螺旋体とを回転しうるように外殻体の内部に立設し、この選別網体と揚穀螺旋体を駆動源により互いに逆方向へ相対回転させるように構成されており、ホッパーから供給される穀粒を選別網体と揚穀螺旋体の相対回転により上方へ揚穀する際に、選別網体の選別孔よりも小径の穀粒を屑粒として選別網体の選別孔から外方へ放出し、選別孔を通過し得ない粒径を有する穀粒は整粒として揚穀して貯留タンク内に貯留している。選別網体の選別孔から放出された屑粒は外殻体と選別網体の外周面との間隙部を落下し、放出シュートを介して機外へ放出されている。
【０００４】
そして、貯留タンクに貯留されている整粒は、貯留タンクの排出口の下方に設置された計量器を用いて計量袋詰めが行なわれるが、選別網体の選別孔より小さい粒径の小穀粒や未熟粒等の屑粒は、放出シュートを介して機外へ放出され、適当な袋や容器等に収納されている。
【０００５】
【発明が解決しようとする課題】
米穀等の穀粒は、品質、等級あるいは用途等に応じてそれぞれの選別基準が定められており、縦型選別機における穀粒の選別基準は、縦型選別機に装着される選別網体の選別孔の網目サイズ（目幅）によって決定される。ところで、米穀等の穀粒は、同一品種を同一圃場で栽培しても、天候などの環境条件により外観形状は必ずしも同一ではなく、その作柄に応じて、適宜その選別基準を変更する必要が生じている。すなわち、穀粒の選別には、その品質、等級あるいは用途等に応じて選別網体の選別孔の網目サイズをそれぞれ設定する必要があり、所望の粒径の穀粒を得るためには、その所望の粒径に見合った選別孔の網目サイズを有する選別網体を選定し、縦型選別機に装着しなければならない。
【０００６】
このように、穀粒のロット毎に、さらには、品質、等級あるいは用途等に応じて、選別孔の網目サイズ（目幅）が異なる選別網体をその都度交換して、選別および計量袋詰めを行なう必要があり、その作業能率を大きく悪化させていた。
【０００７】
また、縦型選別機においては、選別網体および揚穀螺旋体を回転駆動する駆動源をインバータ制御することによって、選別網体と揚穀螺旋体の回転数を増減させることにより、同じ網目サイズの選別網体によっても選別できる整粒の粒径を変更することができることは、例えば、特公平７−１０２３４１号公報や特公平７−１１０３５１号公報等に開示されている。すなわち、例えば、網目サイズ（目幅）を１．８０ｍｍとする選別網体を用いて、揚穀螺旋体の回転数を３４０ｒｐｍとし、選別網体の回転数を揚穀螺旋体の回転数の約１／５として選別を行なうときは、１．８０ｍｍ以上の粒径の穀粒を整粒として得ることができ、また、選別網体を取り換えることなく、揚穀螺旋体の回転数を３４０ｒｐｍから３４０〜５５０ｒｐｍの範囲で増大させていくと、網目サイズ（目幅）の約２／１００減の粒径まで、すなわち、約１．７７ｍｍの粒径の穀粒までも適宜選別することができ、選別孔の網目サイズ（目幅）が一定であっても、選別網体と揚穀螺旋体の回転数を変化させることにより、選別する穀粒の粒径はある程度の範囲の中で選択可能である。
【０００８】
しかしながら、選別網体と揚穀螺旋体の相対回転数の制御によって得られる穀粒の粒径の範囲幅は網目サイズ（目幅）の約２／１００減の粒径までであって、その範囲外の穀粒の粒径を選別することが要求される場合には、やはりそれに対応する網目サイズ（目幅）を有する選別網体に交換する必要がある。
【０００９】
また、従来の縦型選別機においては、選別網体と揚穀螺旋体の相対回転により選別された整粒の計量袋詰めは効率良く行なうことができるけれども、選別時に放出シュートを介して機外へ放出される屑粒は、計量することなく適当な容器や袋に単に収納されて処理されていた。ところで、これらの屑粒も、例えば、米穀においては業務用食用米や煎餅等の材料となる加工用米などとして各種の用途に利用することができるものである。しかしながら、従来の縦型選別機では、これらの屑粒を直接計量袋詰めすることができないために、これらを穀類加工業者等に卸す場合には改めて別途計量し直すことが必要であり、これらの作業を連続的にかつ効率良く行なうことができなかった。
【００１０】
そこで、本発明は、上記従来技術の有する問題点に鑑みてなされたものであって、米穀等の穀粒を各種の品質、等級あるいは用途等に応じて所望の粒径を有する整粒とその他の屑粒とに直ちに選別することができ、かつ整粒の計量袋詰めとともに屑粒の計量袋詰めをも連続的にかつ効率良く行なうことができる穀粒等の選別装置を提供することを目的とするものである。
【００１１】
【課題を解決するための手段】
上記の目的を達成するために、本発明の穀粒等の選別装置は、選別殻体内に同心状に配設された選別網体と揚穀螺旋体を相対回転させることにより穀粒を揚穀する間に所望の粒径以上の整粒と所望の粒径以下の屑粒とに選別して前記整粒を貯留タンクに貯留するとともに前記屑粒を放出シュートを介して機外へ排出するようにそれぞれ構成され、並列して配置された複数の縦型選別機と、後方下部に供給ホッパーを、前方上部に流路切換板を有する分岐管をそれぞれ配設した揚穀筒体と該揚穀筒体内に配設された揚穀手段からなり、前記供給ホッパーに投入される穀粒を揚穀して前記複数の縦型選別機に選択的に穀粒を供給するための揚穀機と、前記複数の縦型選別機により選別された各種の整粒をそれぞれ計量袋詰めするために前記複数の縦型選別機の貯留タンクの下方に配設された整粒用の計量袋詰め機と、前記複数の縦型選別機からそれぞれ排出される屑粒を計量袋詰めするための屑粒用の揚穀計量機と、前記複数の縦型選別機から排出される屑粒を前記屑粒用の揚穀計量機へ移送するための屑粒移送装置とを具備することを特徴とする。
【００１２】
本発明の穀粒等の選別装置においては、前記複数の縦型選別機における前記選別網体および前記揚穀螺旋体を回転駆動する駆動源はそれぞれインバータ制御手段を備えていることが好ましい。
【００１３】
本発明の穀粒等の選別装置においては、前記複数の縦型選別機に、それぞれ選別孔の網目サイズが異なる選別網体を装着することができ、また、選別孔の網目サイズが同じ選別網体をそれぞれ装着することもできる。
【００１４】
本発明の穀粒等の選別装置において、前記揚穀機は、前記分岐管の流路切換板を切り換えることにより、前記複数の縦型選別機のいずれか一つにあるいは全てに穀粒を選択的に供給することができるように構成されていることが好ましい。
【００１５】
本発明の穀粒等の選別装置において、前記整粒用の計量袋詰め機は、前記複数の縦型選別機の貯留タンクの下方に配設された１個のタンクと該タンクのシャッター付き排出口の下方に設置された計量器を備えていることが好ましい。
【００１６】
本発明の穀粒等の選別装置において、前記屑粒用の揚穀計量機は、後方下部および前方下部にそれぞれ供給ホッパーと供給孔が設けられかつ前方上部に貯留タンクが配設された揚穀筒体と、該揚穀筒体内に配設された揚穀手段と、前記貯留タンクのシャッター付き排出口の下方に設置された計量器を備えていることが好ましい。
【００１７】
本発明の穀粒等の選別装置において、前記屑粒移送装置は、内部に屑粒移送用のスクリューを回転可能に配設した移送筒体と前記スクリューを回転駆動する駆動モーターを備え、前記移送筒体は、前記複数の縦型選別機のそれぞれの前記屑粒放出シュートに排出管を介して連通され、その他端部において前記屑粒用の揚穀計量機の下方部に設けられた前記供給孔に連通されていることが好ましい。
【００１８】
【作用】
本発明の穀粒等の選別装置によれば、並列して配置された複数の縦型選別機に選別孔の網目サイズ（目幅）が異なる選別網体をそれぞれ装着することにより、米穀等の穀粒のロット毎に、さらには、米穀等の穀粒の品質、等級あるいは用途に応じて、複数の縦型選別機への穀粒の供給経路を切換えることによって直ちに種々の選別をすることが可能であり、穀粒の品質、等級あるいは用途が異なる度にまた穀粒のロット毎に選別孔の網目サイズを異にする選別網体を交換する必要がなく、作業能率を著しく向上させることができる。
【００１９】
また、並列して配置された複数の縦型選別機にそれぞれ選別孔の網目サイズ（目幅）が同じ選別網体を装着し、そして、揚穀機の揚穀能力を上げて、大量の穀粒を複数の縦型選別機に同時に供給することにより、穀粒の選別効率や選別機の生産性を大きく向上させることができ、大量の穀粒を短時間で選別処理することが可能となる。
【００２０】
さらにまた、選別網体および揚穀螺旋体を駆動する駆動源をインバータ制御することによって、選別網体および揚穀螺旋体の回転数を増減調整することにより、選別目幅を適宜調整することができ、穀粒の各種の品質、等級や用途に応じて最適な選別を行なうことが可能となる。
【００２１】
複数の縦型選別機にそれぞれ貯留タンクを備え、その下方に１個の計量袋詰め用のタンクと計量器を備えた整粒用計量袋詰め機を配設することにより、種々に区分選別されそれぞれの貯留タンクに貯留されている整粒を随時計量袋詰めすることができ、さらに、屑粒も屑粒用の揚穀計量器により適宜計量袋詰めすることが可能であり、整粒および屑粒の計量袋詰め作業をそれぞれ連続的にかつ効率良く行なうことを可能にする。
【００２２】
【発明の実施の形態】
本発明の実施の形態を図面に基づいて説明する。
【００２３】
図１は、本発明の穀粒等の選別装置の構成を概略的に図示する斜視図であり、図２は、本発明の穀粒等の選別装置の一部を後方から見た背面斜視図である。
【００２４】
本発明の穀粒等の選別装置の概略構成は、図１および図２に図示するように、基台１上の選別殻体２、２ｂ内にそれぞれ同心状に配設された選別網体と揚穀螺旋体を相対回転させることにより米穀等の穀粒を揚穀する間に所望の粒径以上の整粒と所望の粒径以下の屑粒等とに選別して整粒を貯留タンク４、４ｂに貯留するとともに屑粒等を放出シュート５、６、５ｂ、６ｂ（なお、放出シュート５ｂ、６ｂは図１には図示されていない。）を介して機外へ排出するようにそれぞれ構成され互いに並列した配置された第１および第２の縦型選別機Ａ、Ｂと、供給ホッパー５２に投入される米穀等の穀粒を揚穀して第１および第２の縦型選別機Ａ、Ｂの少なくとも一方に選択的に供給するための揚穀機Ｃと、第１および第２の縦型選別機Ａ、Ｂにより選別された整粒をそれぞれ計量袋詰めするための１個のタンク３４と計量器３９からなる整粒用の計量袋詰め機Ｄと、第１および第２の縦型選別機Ａ、Ｂにより選別されて排出される屑粒を計量袋詰めするための屑粒用の揚穀計量機Ｅと、第１および第２の縦型選別機Ａ、Ｂから放出される屑粒を屑粒用の揚穀計量機Ｅへ移送するための屑粒移送装置Ｆとを具備し、これらを基板Ｇ上に配置して構成されている。
【００２５】
揚穀機Ｃの供給ホッパー５２に投入される米穀等の穀粒は、揚穀機Ｃを介して、第１および第２の縦型選別機Ａ、Ｂのいずれか一方にあるいは両方に送り込まれ、そして、その縦型選別機において、選別網体と揚穀螺旋体の相対回転により所望の粒径以上の整粒と所望の粒径以下の屑粒とに選別され、整粒はそれぞれの貯留タンク４または４ｂに一時的に貯留されるとともに屑粒は放出シュート５、６、５ｂ、６ｂから排出される。貯留タンク４または４ｂに貯留されている整粒は、貯留タンク４または４ｂから計量袋詰め用のタンク３４へ収容した後に、計量器３９を用いて、適宜計量袋詰めが行なわれるとともに、放出シュート５、５ｂから排出される屑粒は、屑粒移送装置Ｆにより屑粒用の揚穀計量機Ｅに送り込まれ、屑粒用の揚穀計量機Ｅの貯留タンク１０４および計量器１０９により適宜計量袋詰めが行なわれる。
【００２６】
次に、本発明の穀粒等の選別装置の各構成について順次詳細に説明する。
【００２７】
先ず、第１および第２の縦型選別機Ａ、Ｂおよび整粒用の計量袋詰め機Ｄについて図１ないし図４を参照して説明する。
【００２８】
第１の縦型選別機Ａと第２の縦型選別機Ｂは、基板Ｇに設置された基台１上にそれぞれ並列して立設されており、ほぼ同一構造を有するものであって、以下、特に第１の縦型選別機Ａの構成について説明する。なお、第２の縦型選別機Ｂの構成については、第１の縦型選別機Ａの部材と同一の部材には、第１の縦型選別機Ａの部材の符号にｂを付して表示し、その詳細な説明は省略する。
【００２９】
基台１上に立設された選別殻体２は、後方下方側に穀粒を受け入れるホッパー３が設けられ、前方上部には選別された穀粒（整粒）を一時的に貯留する貯留タンク４が設けられ、また、前方壁面および側方壁面の下方部には選別された屑粒等を放出するための放出シュート５と６がそれぞれ設けられ、放出シュート５、６にはシャッター３３、３４がそれぞれ付設されており、放出シュート５には排出管３５が接続されている（なお、図３および図４には放出シュート５および排出管３５のみ図示されている）。選別殻体２内には、周壁に多数の選別孔７を有する選別網体８とこの選別網体８内に同心状に配設されて外周面に螺旋翼９を有する揚穀螺旋体１０とが配設され、これらは後述するように二出力ギアモーター１１によって互いに反対方向に回転駆動されるように構成されている。
【００３０】
基台１の上板１４上には、図４に詳細に図示するように、上面が開放された円筒状の供給筒１５が固定され、その上端部は選別殻体２の下方仕切板２２に固定されており、供給筒１５の側壁部にはホッパー３のシュート１６が連通されている。供給筒１５内に同心状に配設された誘導筒１７は、その外周面にホッパー３から導入される穀粒を下方へ導くための誘導翼１８を有するとともに下端部には複数の穀粒誘導口（不図示）が設けられており、また上方部周縁に設けられたフランジ部１９には上方へ向けて突出する複数の屑粒掻出し羽根２０が突設されており、その底板２１には、基台１の上板１４の下面側に固定された二出力ギアモーター１１の低速回転軸１２が固着されている。選別網体８は、その下縁部に形成された図示しないスリットを誘導筒１７のフランジ部１９に突設された屑粒掻出し羽根２０に係合させることにより誘導筒１７と一体に回転するようにフランジ部１９上に載置されており、その上端部近傍の外周面に、首振り運動しないように選別殻体２の上部仕切板２３に支軸を介して回転自在に支持された支持ローラ２４が当接されている。
【００３１】
選別網体８および誘導筒１７内には、外周面に螺旋翼９を有する揚穀螺旋体１０が同心状に配設されており、揚穀螺旋体１０の底板２５に二出力ギアモーター１１の高速回転軸１３が固着されているとともにその上板２６は選別殻体２の上面壁２７に回転自在に支持された回転軸２８に固着されている。さらに、選別殻体２の上部仕切板２３より上方に突出する揚穀螺旋体１０の上端部外周面には、選別された整粒を貯留タンク４へ掻出すための複数の整粒掻出し羽根２９が突設されている。
【００３２】
選別網体８と揚穀螺旋体１０を互いに逆方向に回転駆動する二出力ギアモーター１１は、基台１内に収納されてその上板１４の下面側に固定されており、選別網体８と揚穀螺旋体１０の回転数をそれぞれ制御しうるようにインバータ制御手段を備えている。
【００３３】
選別殻体２の前方上部に設けられた貯留タンク４は、その下方部に一時的に貯留している整粒を排出する排出口３０が設けられ、この排出口３０には、シャッター作動部材３２により作動されるシャッター３１が付設されており、シャッター３１の移動により排出口３０が開閉される。
【００３４】
選別殻体２の下部仕切板２２は、屑粒を屑粒掻出し羽根２２の回動範囲に集めることができるように選別殻体２側から内方に向けて勾配を付けてあり、この下部仕切板２２上に集積される屑粒を放出するための２個の放出シュート５および６は、選別殻体２の前方壁面および側方壁面の下方部に設けられている。これらの放出シュート５および６にはそれぞれの放出シュート５、６を閉鎖するためのシャッター３３、３４が付設され、これらのシャッター３３、３４は選別殻体２のそれぞれの壁面に固定されたピン３７、３８に沿って上下方向にスライド可能に設けられている。これにより、穀粒の選別時においては、屑粒放出用の放出シュート５、６のいずれか一方のシャッターを閉鎖し、他方のシャッターを開放することにより、放出シュート５、６のいずれか一方から所望の方向に屑粒を放出することができる。なお、前方下部壁面の放出シュート５に接続された排出管３５は後述する屑粒移送装置Ｆに連通されている。
【００３５】
第１および第２の縦型選別機Ａ、Ｂのそれぞれに装着される選別網体８、８ｂは、それぞれの選別孔７、７ｂの網目サイズ（目幅）が同じものを用いることもできるし、あるいは網目サイズ（目幅）が異なるものを用いることもできる。すなわち、選別網体は、本発明の穀粒等の選別装置の使用態様に応じて適宜選定することができ、例えば、短時間での大量の穀粒の選別処理が要求される場合には、第１および第２の縦型選別機Ａ、Ｂに同じ網目サイズ（目幅）の選別網体を装着して両縦型選別機Ａ、Ｂにて同時に選別を行なうようにし、また、穀粒のロット毎に、あるいは穀粒の品質、等級あるいは用途等に応じて、選別基準を頻繁に変更する必要がある場合には、予め網目サイズ（目幅）が異なる選別網体をそれぞれの縦型選別機に装着しておくことにより、穀粒の品質、等級あるいは用途が異なる度にまた穀粒のロット毎に選別孔の網目サイズを異にする選別網体を交換する必要がなく、作業能率を著しく向上させることができる。
【００３６】
第１および第２の縦型選別機Ａ、Ｂのそれぞれに選別孔の網目サイズ（目幅）が異なる選別網体８、８ｂを用いる場合においては、例えば、第１の縦型選別機Ａに１．８５ｍｍの網目サイズの選別網体８を採用し、第２の縦型選別機Ｂには１．８０ｍｍの網目サイズの選別網体８ｂを採用する。また、選別網体８、８ｂおよび揚穀螺旋体１０、１０ｂをそれぞれ回転駆動する二出力ギアモーター１１、１１ｂをインバータ制御することによって、選別網体８、８ｂと揚穀螺旋体１０、１０ｂの回転数を増減させることができ、これにより、第１の縦型選別機Ａでは、１．８２ｍｍ〜１．８５ｍｍの範囲で所望の粒径に応じて選別することができ、また、第２の縦型選別機Ｂでは、１．７７ｍｍ〜１．８０ｍｍの範囲で所望の粒径に応じて適宜選別することができる。
【００３７】
また、第１および第２の縦型選別機Ａ、Ｂにおいて、選別殻体２、２ｂのそれぞれの側方下部壁面に設けられた屑粒放出用の放出シュート６、６ｂは、第１の縦型選別機Ａでは図１において左側壁に設けられているが、第２の縦型選別機Ｂでは右側壁に設けられている点で両者は相違しており、第２の縦型選別機Ｂの屑粒放出用の放出シュート６ｂは、図２に一点鎖線で示すように、排出管３６を接続することにより、後述する屑粒用の揚穀計量機Ｅのホッパー１０２に直接連通させることができ、第２の縦型選別機Ｂで選別された屑粒を揚穀計量機Ｅのホッパー１０２へ直接的に送り込むことが可能となる。
【００３８】
以上のように構成された第１の縦型選別機Ａ（または第２の縦型選別機Ｂ）においては、ホッパー３へ投入される穀粒は、シュート１６を流れて供給筒１５から誘導筒１７の複数の穀粒誘導口（不図示）を介して誘導筒１７内へ誘導され、二出力ギアモーター１１によって回転駆動される揚穀螺旋体１０の螺旋翼９により上方へ移送され、そして、選別網体８と揚穀螺旋体１０の相対回転により穀粒が揚穀される間に、選別網体８の選別孔７から放出されることなく揚穀される粒径の大きな整粒は、揚穀螺旋体１０により上方へ移送され、そして、揚穀螺旋体１０の整粒掻出し羽根２９の回動により貯留タンク４内へ向けてはじき飛ばされて貯留タンク４に一時的に貯留される。
【００３９】
一方、選別網体８の選別孔７から放出され下方の下部仕切板２２上へ落下する屑粒は、屑粒掻出し羽根２０により放出シュート５または６から排出される。
【００４０】
また、第１および第２の縦型選別機Ａ、Ｂのそれぞれの貯留タンク４、４ｂの排出口３０、３０ｂの下方には、第１および第２の縦型選別機Ａ、Ｂによりそれぞれ選別された整粒を計量袋詰めするための１個のタンク４１と計量器４２からなる整粒用の計量袋詰め機Ｄが配設されており、整粒を計量袋詰めするための１個のタンク４１は、貯留タンク４、４ｂの両排出口３０、３０ｂからそれぞれ排出される整粒を受け入れることができる大きさ（図１参照）に形成され、この計量袋詰め用のタンク４１の下方端部には排出口４３が設けられ、この排出口４３には、ソレノイド等のシャッター作動部材４４により開閉駆動されるシャッター４５が設けられている。計量袋詰め用のタンク４１の排出口４３の下方には袋に収納される整粒の重量を計測する計量器４２が設置されており、この計量器４２は、タンク４１の排出口４３を開閉するシャッター４５を作動させるシャッター作動部材４４およびこれらを制御する制御手段（不図示）と電気的に接続され、計量器４２の計量結果に応じてシャッター作動部材４４の作動を制御するように構成されている。
【００４１】
整粒用の計量袋詰め機Ｄによる整粒の計量袋詰めに際し、計量器４２上に袋を載置して排出口４３を開口し、整粒を袋内への充填を開始する。計量器４２は、その上に載置された袋内に収納される穀粒の重量を計測し、その計測値が所定の値に達すると、計量器４２は信号をシャッター作動部材４４へ送り、シャッター４５を作動させて排出口４３を閉鎖する。また、シャッター４５の開閉操作は、人手により、計量器４２の表示を見ながら行なうようにすることもできる。
【００４２】
なお、符号４６は、計量袋詰め用のタンク４１の排出口４３の周囲に取り付けられ、排出口４３から排出される穀粒を袋へ案内して、穀粒の飛散を防止する案内部材であり、符号４７は、電源スイッチや計量袋詰めする重量の設定スイッチを備え、そして重量の設定値や計量器の計量結果を表示する表示器を備えた表示操作盤である。
【００４３】
次に、揚穀機Ｃについて、図１、図５および図６を参照して説明する。
【００４４】
揚穀機Ｃは、選別する米穀等の穀粒を揚穀して第１および第２の縦型選別機Ａ、Ｂのいずれか一方にあるいは両方に選択的に供給するためのものであり、基板Ｇに立設された揚穀筒体５１は、図６に図示するように、その後壁面の下方に供給ホッパー５２に連通する供給孔６０が設けられ、揚穀筒体５１の前壁面の上方には揚穀された穀粒を放出するための放出孔６１が設けられており、揚穀筒体５１の内部には揚穀手段としてのバケットコンベア６５が配設され、また、揚穀筒体５１の下部には円弧状の底板６２が取り付けられている。そして、供給孔６０には米穀等の穀粒を供給するための供給ホッパー５２が連通するように装着され、放出孔６１には、図５の（ａ）に図示するように、流路切換板５４を有する二又状の分岐管５３が連通するように装着されている。
【００４５】
揚穀筒体５１内に配設された揚穀手段としてのバケットコンベア６５は、図６に図示するように、揚穀筒体５１の両側壁の下方および上方の部位にそれぞれ回転可能に軸支された駆動プーリー６６および従動プーリー６７と、両プーリー６６、６７間に掛け渡された無端状ベルト６８と、この無端状ベルト６８に所定の間隔をもって取り付けられた複数のバケット６９、６９……とから構成され、駆動プーリー６６は図示しない駆動モーターに連結され、従動プーリー６７は無端状ベルト６８の張力を調整しうるように揚穀筒体５１の上方の部位において上下方向に移動可能に軸支されている。
【００４６】
揚穀筒体５１の放出孔６１に連通するように配設された二又状の分岐管５３は、図５の（ａ）および（ｂ）に図示するように、放出孔６１から前方下方に傾斜され、そして、二又状に分岐されており、その一方の第１の出口５３ａには、第１の排出管５６が接続され、他方の第２の出口５３ｂには第２の排出管５７が接続される。二又状の分岐管５３の中央分岐部には流路切換板５４が回動自在に軸支５４ａされ、分岐管５３の外部に流路切換板５４を操作するレバー５５が取り付けられており、このレバー５５を操作することにより流路切換板５４を回動させることができる。すなわち、流路切換板５４は、図５の（ｂ）に図示するように、実線で示す位置、一点鎖線で示す位置、および二点鎖線で示す位置等に位置付けることができる。したがって、流路切換板５４の回動位置により、揚穀筒体５１の放出孔６１から放出される穀粒を、第１の排出管５６と第２の排出管５７の両方に、あるいはいずれか一方に選択的に送り込むことができるように構成されている。そして、第１の排出管５６と第２の排出管５７のそれぞれの下方開口端部は、図１に一部図示するように、第１および第２の縦型選別機Ａ、Ｂのホッパー３、３ｂにそれぞれ対応するように位置付けられている。
【００４７】
以上のように構成された揚穀機Ｃは、供給ホッパー５２から供給される穀粒をバケットコンベア６５により揚穀し、そして、各バケット６９が従動プーリー６７の回りを移動する際に各バケット６９内の穀粒をその遠心力により揚穀筒体５１の放出孔６１から二又状の分岐管５３側へ放出する。穀粒は、その後、分岐管５３の流路切換板５４の切換えにより、第１および第２の排出管５６、５７の双方に、あるいは、いずれか一方へ送り込まれ、さらには、第１および第２の縦型選別機Ａ、Ｂのホッパー３、３ｂの双方へあるいはいずれか一方へ投入される。
【００４８】
次に、屑粒用の揚穀計量機Ｅについて図１および図７を参照して説明する。
【００４９】
屑粒用の揚穀計量機Ｅは、図１に図示するように第２の縦型選別機Ｂの右側方の部位で基板Ｇ上に立設され、内部に揚穀手段（不図示）を配設した揚穀筒体１０１を有し、この揚穀筒体１０１の後壁面の下方部位には屑粒を受け入れるためのホッパー１０２が設けられている。また、揚穀筒体１０１の前壁面においてホッパー１０２に対向するように第２の供給孔１０３が設けられ、この第２の供給孔１０３は後述する屑粒移送装置Ｆから送り込まれる屑粒を揚穀筒体１０１内に受け入れるためのものである。揚穀筒体１０１の前壁面の上方部位には揚穀された屑粒を一時的に貯留するための貯留タンク１０４が配設され、この貯留タンク１０４の下方端部に設けられた排出口１０５の下方には屑粒用の計量器１０９が設置されている。貯留タンク１０４の排出口１０５には、ソレノイド等のシャッター作動部材１０７により開閉駆動されるシャッター１０６が設けられており、計量器１０９は、シャッター１０６を作動させるシャッター作動部材１０７およびこれらを制御する制御手段と電気的に接続され、計量器１０９の計量結果に応じてシャッター作動部材１０７の作動を制御するように構成されている。屑粒の計量袋詰めに際し、計量器１０９上に袋を載置して排出口１０５を開口し、屑粒の袋内への充填を開始する。計量器１０９は、その上に載置された袋内に収納される屑粒の重量を計測し、その計測値が所定の値に達すると、信号をシャッター作動部材１０７へ送り、シャッター１０６を作動させて排出口１０５を閉鎖する。また、シャッター１０６の開閉操作は、人手により、計量器１０９の表示を見ながら行なうこともできる。なお、符号１０８は、貯留タンク１０４の排出口１０５の周囲に取り付けられ、排出口１０５から排出される屑粒を袋へ案内して、屑粒の飛散を防止する案内部材であり、１１０は、電源スイッチや計量袋詰めする重量の設定スイッチを備え、そして重量の設定値や計量器１０９の計量結果を表示する表示器を備えた表示操作盤である。
【００５０】
また、揚穀筒体１０１内に配設される揚穀手段としては、バケットコンベア等を用いることができ、図６に図示する揚穀機Ｃのバケットコンベア（揚穀手段）６５と同様の構造を有するものとすることができる。
【００５１】
次に、第１および第２の縦型選別機Ａ、Ｂの放出シュート５、５ｂから放出される屑粒を屑粒用の揚穀計量機Ｅへ移送するための屑粒移送装置Ｆについて図１および図２を参照して説明する。
【００５２】
屑粒移送装置Ｆは、内部に屑粒移送用のスクリュー１２１を回転可能に配設した移送筒体１２０とスクリュー１２１を回転駆動する駆動モーター１２２を備え、移送筒体１２０は、第１および第２の縦型選別機Ａ、Ｂの前方部位から屑粒用の揚穀計量機Ｅの前方まで横方向に延設されており、第１および第２の縦型選別機Ａ、Ｂの前方壁面にそれぞれ設けられた放出シュート５および５ｂに接続された排出管３５および３５ｂの下方端部にそれぞれ開口部（不図示）を介して連通され、右端部の下方部には揚穀計量機Ｅの第２の供給孔１０３に連通するように開口部（不図示）を介して連通管１２５が設けられている。なお、移送筒体１２０は排出管３５、３５ｂの下方端部に固定されかつ揚穀計量機Ｅの第２の供給孔１０３の上方部位に固定されている。
【００５３】
次に、以上のように構成された本発明の穀粒等の選別装置の作動について説明する。
【００５４】
先ず、第１および第２の縦型選別機Ａ、Ｂに、それぞれ、選別孔の網目サイズ（目幅）が異なる選別網体を装着する場合について説明すると、第１および第２の縦型選別機Ａ、Ｂにそれぞれ装着された選別網体８、８ｂはその選別孔７、７ｂの網目サイズ（目幅）が異なり、例えば、第１の縦型選別機Ａには１．８５ｍｍの網目サイズの選別網体８を用い、第２の縦型選別機Ｂには１．８０ｍｍの網目サイズの選別網体８ｂを用いる。
【００５５】
選別しようとする米穀等の穀粒を揚穀機Ｃの供給ホッパー５２に投入する。その際に、粒径が１．８５ｍｍ以上の穀粒を整粒として選別する場合には、１．８５ｍｍの網目サイズの選別網体８が装着されている第１の縦型選別機Ａを用いることとなり、第１の縦型選別機Ａを作動させるとともに、揚穀機Ｃの二又状の分岐管５３のレバー５５を操作して、その流路切換板５４を図５の（ｂ）に実線で示す位置へ切り換えて、揚穀筒体５１の放出孔６１を分岐管５３の第１の出口５３ａを介して第１の排出管５６へ連通させる。
【００５６】
揚穀機Ｃの供給ホッパー５２に投入された穀粒は、バケットコンベア６５により揚穀され、放出孔６１から分岐管５３へ放出される。そして、穀粒は、二又状の分岐管５３の流路切換板５４を介して第１の排出管５６を流れ、第１の排出管５６の下方開口端部から第１の縦型選別機Ａのホッパー３へ投入される。
【００５７】
第１の縦型選別機Ａのホッパー３へ投入された穀粒は、図３および図４に図示するように、ホッパー３のシュート１６を流れて、供給筒１５から誘導筒１７の複数の穀粒誘導口（不図示）を介して誘導筒１７内へ誘導され、二出力ギアモーター１１によって回転駆動される揚穀螺旋体１０の螺旋翼９により上方へ移送される。そして、二出力ギアモーター１１により回転駆動される選別網体８と揚穀螺旋体１０の相対回転によって、穀粒が揚穀される間に、選別網体８の選別孔７から放出されることなく揚穀される１．８５ｍｍ以上の粒径を有する整粒は、揚穀螺旋体１０により上方へ移送され、そして、揚穀螺旋体１０の整粒掻出し羽根２９の回動により貯留タンク４内へ向けてはじき飛ばされて貯留タンク４に一時的に貯留される。
【００５８】
そして、穀粒の選別中にあるいは選別終了後に、選別された整粒を計量袋詰めする際には、貯留タンク４の排出口３０を、シャッター作動部材３２によりシャッター３１を移動させて開口し、貯留タンク４に一時的に貯留された整粒を計量袋詰め用のタンク４１内に落下させる。その後、計量器４２の上に袋を載置し、タンク４１の排出口４３のシャッター４５を作動させて排出口４３を開口し、整粒の袋内への充填を開始する。計量器４２はその上に載置された袋内に収納される穀粒の重量を計測し、その計測値が所定の値に達すると、計量器４２は信号をシャッター作動部材４４へ送り、シャッター４５を作動させて排出口４３を閉鎖する。このように、１．８５ｍｍ以上の粒径を有する整粒の計量袋詰めが適確に行なわれる。
【００５９】
一方、選別網体８の選別孔７から放出される粒径が１．８５ｍｍ以下の屑粒は、選別網体８の外周面と選別殻体２の内壁面との間隙から下方の下部仕切板２２上へ落下し、屑粒掻出し羽根２０により放出シュート５または６から放出される。そして、屑粒を計量袋詰めする場合には、放出シュート６のシャッター３４をスライドさせて放出シュート６を閉鎖し、放出シュート５のシャッター３４を上方にスライドさせて放出シュート５を開口しておくことにより、屑粒は、放出シュート５を介して排出管３５へ送り込まれ、排出管３５から屑粒移送装置Ｆの移送筒体１２０へ流れ込む。なお、屑粒を計量することなく単に袋詰めする場合には、放出シュート５のシャッター３３を下方へスライドさせて放出シュート５を閉鎖し、他方の放出シュート６を開口しておくことにより、屑粒を放出シュート６から適当な袋や容器に充填することができる。
【００６０】
屑粒移送装置Ｆは、駆動モーター１２２の作動により屑粒移送用のスクリュー１２１が回転し、排出管３５から移送筒体１２０内に送り込まれる屑粒を順次図１の右方向に移送する。右方向に移送された屑粒は、移送筒体１２０の右端部の下方部に設けられた開口部（不図示）を介して連通管１２５から屑粒用の揚穀計量機Ｅの第２の供給孔１０３に送り込まれる。
【００６１】
屑粒用の揚穀計量機Ｅに送り込まれた屑粒は、揚穀筒体１０１内に配設される揚穀手段により順次揚穀され、揚穀筒体１０１の前壁面の上方部位に配設された屑粒用の貯留タンク１０４に貯留される。
【００６２】
屑粒を計量袋詰めする際には、計量器１０９の上に袋を載置し、屑粒用の貯留タンク１０４の排出口１０５のシャッター１０６を作動させて排出口１０５を開口し、屑粒の袋内への充填を開始する。計量器１０９はその上に載置された袋内に収納される屑粒の重量を計測し、その計測値が所定の値に達すると、計量器１０９は信号をシャッター作動部材１０７へ送り、シャッター１０６を作動させて排出口１０５を閉鎖し、屑粒の計量袋詰めが適確に行なわれる。
【００６３】
次に、粒径が１．８０ｍｍ以上あるいは１．７７ｍｍ以上の穀粒を整粒として選別する場合について説明する。なお、第１の縦型選別機Ａおよび第２の縦型選別機Ｂには、前述したように、１．８５ｍｍの網目サイズの選別網体８および１．８０ｍｍの網目サイズの選別網体８ｂがそれぞれ装着されているとする。この場合には、１．８０ｍｍの網目サイズの選別網体８ｂが装着されている第２の縦型選別機Ｂを用いる。そして特に、１．７７ｍｍ以上の穀粒を整粒として選別する際には、二出力ギアモーター１１ｂをインバータ制御して、選別網体８ｂおよび揚穀螺旋体１０ｂの回転数を増大して選別を行なうこととなる。
【００６４】
粒径が１．８０ｍｍ以上あるいは１．７７ｍｍ以上の穀粒を整粒として選別する場合には、第２の縦型選別機Ｂを作動させ、選別網体８ｂおよび揚穀螺旋体１０ｂをそれぞれ所定の回転数で駆動するとともに、揚穀機Ｃの二又状の分岐管５３をレバー５５を操作して、その流路切換板５４を図５の（ｂ）に二点鎖線で示す位置へ切り換えて、揚穀筒体５１の放出孔６１を分岐管５３の第２の出口５３ｂを介して第２の排出管５７へ連通させる。
【００６５】
そして、揚穀機Ｃの供給ホッパー５２に投入された穀粒は、バケットコンベア６５により揚穀されて放出孔６１から分岐管５３へ放出される。穀粒は、二又状の分岐管５３の流路切換板５４を介して第２の出口５３ｂから第２の排出管５７を流れ、第２の排出管５７の下方開口端部から第２の縦型選別機Ｂのホッパー３ｂへ送り込まれる。
【００６６】
第２の縦型選別機Ｂのホッパー３ｂへ投入された穀粒は、前述した第１の縦型選別機Ａと同様に、二出力ギアモーター１１ｂによって回転駆動される揚穀螺旋体１０ｂの螺旋翼９ｂにより上方へ移送される。そして、二出力ギアモーター１１ｂにより回転駆動される選別網体８ｂと揚穀螺旋体１０ｂの相対回転によって、穀粒が揚穀される間に、選別網体８の選別孔７から放出されることなく揚穀される粒径が１．８０ｍｍ以上（あるいは１．７７ｍｍ以上）の整粒は、揚穀螺旋体１０ｂにより上方へ移送され、そして、揚穀螺旋体１０ｂの整粒掻出し羽根２９ｂの回動により貯留タンク４ｂ内へ向けてはじき飛ばされて貯留タンク４ｂに一時的に貯留される。
【００６７】
選別された整粒の計量袋詰めは、貯留タンク４ｂの排出口３０ｂを、シャッター作動部材３２ｂによりシャッター３１ｂを移動させて開口し、貯留タンク４ｂに一時的に貯留された整粒を計量袋詰め用のタンク４１内に落下させることにより、前述と同様に行なうことができる。
【００６８】
一方、選別網体８ｂの選別孔７ｂから放出される粒径が１．８０ｍｍ（あるいは１．７７ｍｍ）以下の屑粒は、放出シュート５ｂまたは６ｂから放出される。そして、屑粒を計量袋詰めする場合には、放出シュート６ｂのシャッター３４ｂをスライドさせて放出シュート６ｂを閉鎖し、放出シュート５ｂのシャッター３３ｂを上方にスライドさせて放出シュート５ｂを開口しておくことにより、屑粒は放出シュート５ｂを介して排出管３５ｂへ送り込まれ、排出管３５ｂから屑粒移送装置Ｆの移送筒体１２０へ流れ込む。
【００６９】
排出管３５ｂから屑粒移送装置Ｆの移送筒体１２０内に送り込まれる屑粒は、駆動モーター１２２の作動による屑粒移送用のスクリュー１２１の回転によって、順次図１の右方向に移送されて、移送筒体１２０の右端部の下方部に設けられた開口部（不図示）を介して連通管１２５から屑粒用の揚穀計量器Ｅの第２の供給孔１０３に送り込まれる。なお、第２の縦型選別機Ｂにおいては、図２に一点鎖線で図示するように、連結管３６を放出シュート６ｂに接続して、屑粒揚穀機Ｅのホッパー１０２に直接連通することができ、放出シュート５ｂのシャッター３３ｂをスライドさせて放出シュート５ｂを閉鎖し、他方の放出シュート６ｂを開口して、屑粒を放出シュート６ｂから連結管３６を介して屑粒用の揚穀計量機Ｅのホッパー１０２へ直接的に送り込むことが可能である。また、屑粒を計量することなく単に袋詰めする場合には、放出シュート５ｂのシャッター３３ｂをスライドさせて放出シュート５ｂを閉鎖し、他方の放出シュート６ｂを開口しておくことにより、屑粒を放出シュート６ｂから適当な袋や容器に充填することができる。
【００７０】
屑粒用の揚穀計量機Ｅに送り込まれた屑粒は、前述したと同様に、図示しない揚穀手段により揚穀され、屑粒用の貯留タンク１０４に貯留される。そして、屑粒の計量袋詰めも同様に行なうことができる。
【００７１】
次に、第１および第２の縦型選別機Ａ、Ｂに、選別孔の網目サイズ（目幅）が同じ選別網体をそれぞれ装着して、大量の穀粒の選別処理を短時間で行なう場合について説明する。
【００７２】
第１および第２の縦型選別機Ａ、Ｂに選別孔７、７ｂの網目サイズ（目幅）が同じ選別網体８、８ｂを装着するとともに、揚穀機Ｃの二又状の分岐管５３のレバー５５を操作して、その流路切換板５４を図５の（ｂ）に一点鎖線で示す中立位置へ切り換えて、揚穀筒体５１の放出孔６１を分岐管５３の第１および第２のの出口５３ａ、５３ｂを介して第１および第２の排出管５６、５７の双方へ連通させ、そして、揚穀機Ｃの図示しない駆動モーターを高速にて回転させ、揚穀機Ｃの揚穀能力を増大させる。
【００７３】
これにより、揚穀機Ｃの供給ホッパー５２に投入された穀粒は、高速で駆動されるバケットコンベア６５により揚穀され、放出孔６１から分岐管５３へ放出される。そして、穀粒は、二又状の分岐管５３の中立位置にある流路切換板５４を介して第１および第２の排出管５６、５７を流れ、第１および第２の縦型選別機Ａ、Ｂのホッパー３、３Ｂへそれぞれ略同量づつ投入される。
【００７４】
第１および第２の縦型選別機Ａ、Ｂに投入された穀粒は、第１および第２の縦型選別機Ａ、Ｂによりそれぞれ選別され、所望の粒径以下の屑粒は、前述したように、放出シュート５、６、５ｂ、６ｂを介して機外へ排出され、例えば、放出シュート５、５ｂから排出管３５、３５ｂを介して屑粒移送装置Ｆの移送筒体１２０へ流して、前述したと同様に、屑粒用の揚穀計量機Ｅにて屑粒の計量袋詰めを行なうことができる。また、所望の粒径を有する整粒は、それぞれの貯留タンク４、４ｂに貯留され、前述したと同様に、整粒用の計量袋詰め機Ｄにより適宜計量袋詰めを行なうことができる。なお、このような場合においては、第１および第２の縦型選別機Ａ、Ｂにおいてそれぞれ選別された整粒は、貯留タンク４、４ｂに貯留することなく、貯留タンク４、４ｂの排出口３０、３０ｂを介して直接タンク４１へ落下させるようにすることができ、貯留タンク４、４ｂの排出口３０、３０ｂには、シャッター３１、３１ｂおよびシャッター作動部材３２、３２ｂを付設しなくともよい。
【００７５】
以上のように、本発明の穀粒等の選別装置は、縦型選別機を２個並設し、これらの縦型選別機に選別孔の網目サイズ（目幅）が異なる選別網体をそれぞれ装着することにより、穀粒のロット毎に、さらには、穀粒の品質、等級あるいは用途に応じて、２個の縦型選別機への穀粒の供給経路を切換えることによって直ちに種々の選別をすることができ、穀粒の品質、等級あるいは用途が異なる度にまた穀粒のロット毎に選別孔の網目サイズを異にする選別網体を交換する必要がなく、作業能率を著しく向上させることができる。
【００７６】
また、並設した２個の縦型選別機に選別孔の網目サイズ（目幅）が同じ選別網体を装着し、そして、揚穀機の揚穀能力を上げることによって、大量の穀粒を複数の縦型選別機に同時に供給することができ、穀粒の選別効率や選別機の生産性を大きく向上させることができ、大量の穀粒を短時間で選別処理することが可能となる。
【００７７】
また、選別網体および揚穀螺旋体を駆動する駆動源をインバータ制御することにより、選別目幅を適宜調整することが可能であり、穀粒の各種の品質、等級や用途に応じて最適な選別を直ちに行なうことができる。
【００７８】
さらに、２個の縦型選別機にそれぞれ貯留タンクを備え、その下方に１個の計量袋詰め用のタンクを設けることにより、種々に区分選別された整粒を随時計量袋詰めすることができ、さらに屑粒も適宜計量袋詰めすることが可能であり、袋詰め作業を連続的にかつ効率良く行なうことができる。
【００７９】
なお、前述した実施例においては、縦型選別機を２個並設しているけれども、本発明は前述した実施例に限定されるものではなく、縦型選別機を２以上並設しかつ各縦型選別機への穀粒の供給経路をそれぞれ切り換えることができるように構成し得ることはいうまでもない。
【００８０】
【発明の効果】
以上説明したように、本発明の穀粒等の選別装置によれば、複数の縦型選別機を並設し、選別孔の網目サイズ（目幅）が異なる選別網体をそれぞれ装着することにより、穀粒のロット毎に、さらには、品質、等級あるいは用途に応じて、複数の縦型選別機への穀粒の供給経路を切換えることによって直ちに種々の選別をすることができ、穀粒の品質、等級あるいは用途が異なる度にまた穀粒のロット毎に選別孔の網目サイズを異にする選別網体を交換する必要がなく、作業能率を著しく向上させることができる。
【００８１】
また、並設した複数の縦型選別機に選別孔の網目サイズ（目幅）が同じ選別網体をそれぞれ装着することにより、そして、揚穀機の揚穀能力を上げることによって、大量の穀粒を複数の縦型選別機に同時に供給することができ、穀粒の選別効率や選別機の生産性を大きく向上させることができ、大量の穀粒を短時間で選別処理することが可能となる。
【００８２】
さらに、選別網体および揚穀螺旋体を駆動する駆動源をインバータ制御することにより、選別目幅を適宜調整することが可能であり、穀粒の各種の品質、等級や用途に応じて最適な選別を直ちに行なうことができる。
【００８３】
さらに、複数の縦型選別機にそれぞれ貯留タンクを備え、その下方に１個の計量袋詰め用のタンクを設けることにより、種々に区分選別された整粒を随時計量袋詰めすることができ、さらに屑粒も適宜計量袋詰めすることが可能であり、整粒および屑粒の計量袋詰め作業を連続的にかつ効率良く行なうことができる。
【図面の簡単な説明】
【図１】本発明の穀粒等の選別装置の構成を概略的に図示する斜視図である。
【図２】本発明の穀粒等の選別装置の一部を後方から見た背面斜視図である。
【図３】本発明の穀粒等の選別装置における縦型選別機および計量袋詰め機を概略的に図示する断面図である。
【図４】図３に図示する縦型選別機の下方部分を拡大して図示する断面図である。
【図５】本発明の穀粒等の選別装置における揚穀機を図示し、（ａ）は揚穀機の斜視図であり、（ｂ）は、同（ａ）におけるＡ−Ａ線に沿って破断して図示する断面図である。
【図６】  図５の（ａ）に図示する揚穀機の揚穀筒体を一部破断して示す揚穀機の概略的な斜視図である。
【図７】本発明の穀粒等の選別装置における屑粒用の揚穀計量機を概略的に図示する斜視図である。
【符号の説明】
Ａ    第１の縦型選別機
Ｂ    第２の縦型選別機
Ｃ    揚穀機
Ｄ    （整粒用）計量袋詰め機
Ｅ    （屑粒用）揚穀計量機
Ｆ    屑粒移送装置
Ｇ    基板
１    基台
２、２ｂ    選別殻体
３、３ｂ    ホッパー
４、４ｂ    貯留タンク
５、５ｂ、６、６ｂ    放出シュート
７、７ｂ    選別孔
８、８ｂ    選別網体
９、９ｂ    螺旋翼
１０、１０ｂ  揚穀螺旋体
１１、１１ｂ    二出力ギアモーター
２０、２０ｂ    屑粒掻出し羽根
２９、２９ｂ    整粒掻出し羽根
３０、３０ｂ    排出口
３３、３３ｂ    シャッター
３４、３４ｂ    シャッター
３５、３５ｂ    排出管
４１    （計量袋詰め用）タンク
４１    （整粒用）計量器
４３    排出口
４５    シャッター
５１    揚穀筒体
５２    供給ホッパー
５３    （二又状）分岐管
５４    流路切換板
５６    第１の排出管
５７    第２の排出管
６１    放出孔
６５    バケットコンベア（揚穀手段）
１０１    揚穀筒体
１０２    ホッパー
１０３    供給孔
１０４    貯留タンク
１０５    排出口
１０６    シャッター
１０９    （屑粒用）計量器
１２０    移送筒体
１２１    スクリュー
１２２    駆動モーター
１２５    連通管
【図１】
0004049922.tif 000002
【図２】
0004049922.tif 000003
【図３】
0004049922.tif 000004
【図４】
0004049922.tif 000005
【図５】
0004049922.tif 000006
【図６】
0004049922.tif 000007
【図７】
0004049922.tif 000008